(57)【要約】【課題】簡易な操作で状態を切り替えることができるとともに、使用状態でのネットフレームの姿勢保持の信頼性を高めたイベント用バリケードを提供する。【解決手段】本実施例のイベント用バリケード１は、折り畳み状態と使用状態とに変形可能に構成されるイベント用バリケード１において、設置面に配置されるベースフレーム２と、ベースフレーム２の中間位置に垂直に立設されるネットフレーム３と、ベースフレーム２及びネットフレーム３の間に介設され、ネットフレーム３の裏面側に斜めに配設されるサイドフレーム４と、サイドフレーム４に枢支され、ベースフレーム２に対して平行となるようにしてネットフレーム３の裏面に当接される補助フレーム５と、ネットフレーム３の下端に突設され、ベースフレーム２と嵌合される補助ピン６と、を具備してなる。【選択図】図１
2019090237.tif 000002
【特許請求の範囲】
【請求項１】
折り畳み状態と使用状態とに変形可能に構成されるイベント用バリケードにおいて、
設置面に配置されるベースフレームと、
前記ベースフレームの中間位置に垂直に立設されるネットフレームと、
前記ベースフレーム及びネットフレームの間に介設され、前記ネットフレームの裏面側に斜めに配設されるサイドフレームと、
前記サイドフレームに枢支され、前記ベースフレームに対して平行となるようにして前記ネットフレームの裏面に当接される補助フレームと、
前記ネットフレームの下端に突設され、前記ベースフレームと嵌合される補助ピンと、
を具備してなることを特徴とするイベント用バリケード。
【請求項２】
前記補助フレームは、一端が前記サイドフレームに揺動可能に枢支され、他端が前記ネットフレームの補強ステーに上方より当接されて位置決めされる請求項１に記載のイベント用バリケード。
【請求項３】
前記補助フレームは、表面に平板状の鋼板が取り付けられる請求項１又は請求項２に記載のイベント用バリケード。
【請求項４】
前記補助ピンは、前記ベースフレームに穿設された取付孔に水平方向より挿入される請求項１乃至請求項３のいずれか一項に記載のイベント用バリケード。
【請求項５】
折り畳み状態で平面視板状となるように構成される請求項１乃至請求項４のいずれか一項に記載のイベント用バリケード。
【請求項６】
前記ベースフレームの表面に複数の支柱ピンが突設され、前記支柱ピンが他方のベースフレームの裏面に当接されて、複数のイベント用バリケードが垂直方向に位置決めして重ねられる請求項１乃至請求項５のいずれか一項に記載のイベント用バリケード。
【発明の詳細な説明】
【技術分野】
【０００１】
本発明は、イベント用バリケードの技術に関し、より詳細には、折り畳み状態と使用状態とに変形可能に構成されるイベント用バリケードに関する。
【背景技術】
【０００２】
従来、屋内外のアリーナや劇場等にて演奏やパフォーマンス等のイベントが行われる際に、観衆が演者の一定距離以内に近づかないよう両者の間を隔て、またフロアを一定に区画して観衆の混雑を整理することなどを目的として、所定の仕切り位置に沿って直列に並べて使用するイベント用バリケードの構成が公知となっている。
【０００３】
従来のイベント用バリケードとしては、例えば、特許文献１には、設置面に配置されるベースフレームと、ベースフレームの中間位置に垂直に立設されるネットフレームと、ベースフレーム及びネットフレームの間に介設され、ネットフレームの裏面側に斜めに配設されるサイドフレームとを具備してなり、折り畳み状態と使用状態とに変形可能としたイベント用バリケードが開示されている。かかるイベント用バリケードは、折り畳み状態では平面視板状に折り畳むことができるため設置場所への搬入出が容易であるとともに、使用状態では立設されたネットフレームがサイドフレームにて支えられて、前方に向けて負荷がかかっても倒れることのないように構成されている。
【０００４】
しかしながら、上述した従来のイベント用バリケードの構成では、枢支ピンを抜け止め状態に摺動させることでネットフレームの下端をベースフレームに連結させて、ネットフレームの姿勢を保持する構成であったため、イベント用バリケードの状態を切り替えるたびに枢支ピンを摺動させる操作が必要となり、状態切り替えの作業性に劣るという問題があった。特に、イベント用バリケードを所定の仕切り位置に沿って直列に並べて使用する場合に、全てのイベント用バリケードにおいて枢支ピンが抜け止め状態にあるかどうかを漏れなく確認することが困難であり、ネットフレームの姿勢保持の信頼性に劣るという問題があった。
【先行技術文献】
【特許文献】
【０００５】
【特許文献１】特開平１０−２６３１３０号公報
【発明の概要】
【発明が解決しようとする課題】
【０００６】
そこで、本発明では、イベント用バリケードに関し、前記従来の課題を解決するもので、簡易な操作で状態を切り替えることができるとともに、使用状態でのネットフレームの姿勢保持の信頼性を高めたイベント用バリケードを提供することを目的とする。
【課題を解決するための手段】
【０００７】
本発明の解決しようとする課題は以上の如くであり、次にこの課題を解決するための手段を説明する。
【０００８】
すなわち、請求項１においては、折り畳み状態と使用状態とに変形可能に構成されるイベント用バリケードにおいて、設置面に配置されるベースフレームと、前記ベースフレームの中間位置に垂直に立設されるネットフレームと、前記ベースフレーム及びネットフレームの間に介設され、前記ネットフレームの裏面側に斜めに配設されるサイドフレームと、前記サイドフレームに枢支され、前記ベースフレームに対して平行となるようにして前記ネットフレームの裏面に当接される補助フレームと、前記ネットフレームの下端に突設され、前記ベースフレームと嵌合される補助ピンと、を具備してなるものである。
【０００９】
請求項２においては、前記補助フレームは、一端が前記サイドフレームに揺動可能に枢支され、他端が前記ネットフレームの補強ステーに上方より当接されて位置決めされるものである。
【００１０】
請求項３においては、前記補助フレームは、表面に平板状の鋼板が取り付けられるものである。
【００１１】
請求項４においては、前記補助ピンは、前記ベースフレームに穿設された取付孔に水平方向より挿入されるものである。
【００１２】
請求項５においては、折り畳み状態で平面視板状となるように構成されるものである。
【００１３】
請求項６においては、前記ベースフレームの表面に複数の支柱ピンが突設され、前記支柱ピンが他方のベースフレームの裏面に当接されて、複数のイベント用バリケードが垂直方向に位置決めして重ねられるものである。
【発明の効果】
【００１４】
本発明の効果として、簡易な操作で状態を切り替えることができるとともに、使用状態でのネットフレームの姿勢保持の信頼性を高めることができる。
【図面の簡単な説明】
【００１５】
【図１】本発明の一実施例に係るイベント用バリケードの全体的な構成を示した斜視図である。
【図２】同じく図１のイベント用バリケードの前方から見た斜視図である。
【図３】イベント用バリケードの側面図である。
【図４】イベント用バリケードの平面図である。
【図５】図３のＡ−Ａ’矢視断面図であるである。
【図６】図５の部分拡大図である。
【図７】図５の部分拡大図である。
【図８】補助フレームの平面図である。
【図９】イベント用バリケードを折り畳んだ状態を示す側面図である。
【図１０】イベント用バリケードを折り畳んだ状態を示す平面図である。
【図１１】イベント用バリケードを重ねた状態を示す側面図である。
【図１２】イベント用バリケードを折り畳み状態から使用状態に変形する様子を示した図である。
【図１３】別実施例に係るイベント用バリケードの斜視図である。
【発明を実施するための形態】
【００１６】
次に、発明を実施するための形態を説明する。
【００１７】
なお、以下の実施例においては、特に言及する場合を除き、主に使用状態にあるイベント用バリケードの構成について説明することとし、図３の矢印Ｘ方向を前後方向、図３の矢印Ｙ方向を上下方向、図４の矢印Ｚ方向を左右方向とする。
【００１８】
図１乃至図８に示すように、本実施例のイベント用バリケード１は、屋内外のアリーナや劇場等にて演奏やパフォーマンス等のイベントが行われる際に、所定の仕切り位置に沿って直列に並べて使用されるバリケードとして構成され、具体的には、ベースフレーム２と、ネットフレーム３と、サイドフレーム４と、補助フレーム５と、補助ピン６等とで構成されている。
【００１９】
ベースフレーム２は、断面矩形のパイプ部材が組み付けられて構成されており、平面視矩形状のフレーム体２０と、フレーム体２０の前方（図３において右側）から３分の１程度の中間位置に配設される格子フレーム２１と、格子フレーム２１の後方の内側空間に配設される補強ステー２２・２２とが設けられ、設置面に配置されている。
【００２０】
フレーム体２０は、表裏面が面一となるように形成され、表面側には補強ステー２２・２２の上方を覆うようにして平板状の縞鋼板２３が取り付けられており、イベント用バリケード１の使用時には観衆がその上に乗ることができように構成されている。フレーム体２０の裏面は、イベント用バリケード１の使用時に設置面に当接される。
【００２１】
フレーム体２０の前フレームの表面には、枢支ブラケット２４が立設されており、後述するサイドフレーム４の一端が枢支ブラケット２４にピン軸２５を揺動中心として揺動可能に枢支されている。また、フレーム体２０の左右フレームの裏面には、複数の位置決め孔２６・２６・・・・（本実施例では４個）が穿設されており、各位置決め孔２６には対応する他方のネットフレーム３の支柱ピン３６が嵌入される（図１１参照）。
【００２２】
格子フレーム２１は、表面がフレーム体２０の左右フレームと面一となるように水平状に形成され、表面にネットフレーム３の下フレームが当接され、前方側面にネットフレーム３の係合リブ３８・３８が当接される。また、格子フレーム２１の前方側面には、一対の取付孔２７・２７がベースフレーム２の前後方向に沿って穿設されており、ネットフレーム３が立設された状態で後述する補助ピン６が嵌合される（図６等参照）。
【００２３】
ネットフレーム３は、断面矩形のパイプ部材が組み付けられて構成されており、平面視矩形状で左右幅がベースフレーム２のフレーム体２０と同じ長さとなるように形成されるフレーム体３０と、フレーム体３０の内側空間に上下方向及び左右方向に所定の離間を有するようにして配設される一対の縦補強ステー３１・３１及び一対の横補強ステー３２・３２とが設けられ、ベースフレーム２の中間位置に垂直に立設されている。
【００２４】
フレーム体３０は、表裏面が面一となるように形成され、表面側（図３において左側）には縦補強ステー３１及び横ステー３２の全面を覆うようにして平板状のメッシュ鋼板３３が取り付けられており、イベント用バリケード１の使用時にはメッシュ鋼板３３の隙間から観衆が演者の演奏やパフォーマンス等を直接見ることができるように構成されている。
【００２５】
フレーム体３０の上フレーム（図３において上側）には、枢支ブラケット３４が裏面側に向けて突設されており、後述するサイドフレーム４の他端が枢支ブラケット３４にピン軸３５を揺動中心として揺動可能に枢支されている。また、フレーム体３０の左右フレームの裏面（図３において右側）には、複数の支柱ピン３６・３６・・・（本実施例では４個）が突設されている。
【００２６】
フレーム体３０の下フレームの裏面には、左右方向中央位置に平面視矩形の係合プレート３７が下フレームの下端より下方に突出するようにして配設され、左右方向の縁部近傍位置に同じく係合リブ３８・３８がフレーム体３０の下端より下方に突出するようにして配設されている。ネットフレーム３は、ベースフレーム２の格子フレーム２１の前方側面に係合プレート３７及び係合リブ３８・３８が前方から当接されることでフレーム体３０が位置決めされる（図６参照）。
【００２７】
サイドフレーム４は、断面矩形のパイプ部材より構成されており、所定の離間を有して配設される一対のフレーム体４０・４０が設けられ、ベースフレーム２及びネットフレーム３の間に介設され、ネットフレーム３の裏面側に斜めに配設されている。一対のフレーム体４０・４０は、一方の下方端部がベースフレーム２の前方であってフレーム体２０の前フレームに配設された枢支ブラケット２４に揺動可能に枢支され、他方の上方端部がネットフレーム３の上方であってフレーム体３０の上フレームに配設された枢支ブラケット３４に同じく揺動可能に枢支されている。
【００２８】
補助フレーム５は、断面矩形のパイプ部材が組み付けられて構成されており、平面視略矩形状で左右幅がサイドフレーム４の一対のフレーム体４０・４０の離間幅と同じかそれよりも短くなるように形成されるフレーム体５０と、フレーム体５０の内側空間に上下方向に配設される縦補強ステー５１等とが設けられ、サイドフレーム４に枢支され、ベースフレーム２に対して平行となるようにしてネットフレーム３の裏面に当接されている。
【００２９】
フレーム体５０は、サイドフレーム４の一対のフレーム体４０・４０の離間であって下方（図５において下側）から３分の１程度の中間位置に配設され、左右フレームの一端が枢支ピン５２・５２を揺動中心として一対のフレーム体４０・４０に揺動可能に枢支され、左右フレームの他端が係合突部５３・５３として後フレームより後方に突出されている（図８参照）。補助フレーム５は、フレーム体５０がサイドフレーム４の一対のフレーム体４０・４０に枢支され、係合突部５３・５３がネットフレーム３の裏面の縦補強ステー３１・３１を跨いで横補強ステー３２に上方より当接されて、ベースフレーム２に対して平行となるようにして位置決めされている。
【００３０】
フレーム体５０の左右フレームの裏面には、平面視矩形の係合プレート５４が側方に突出するようにして配設されており、枢支ピン５２・５２を揺動中心として補助フレーム５を上方に揺動させた際に、サイドフレーム４より前方に突出しないように係合プレート５４がフレーム体４０・４０に当接されて規制される。
【００３１】
補助ピン６は、断面円形の円柱状に構成されており、上述したネットフレーム３の下端に配設された係合プレート３７に水平方向に向けて突設され、係合プレート３７の表面側（図６において左側）に左右方向に所定の離間を有して２箇所に配置され、フレーム体３０の下フレームの下方に位置されている。補助ピン６は、ネットフレーム３がベースフレーム２に立設された状態で、格子フレーム２１に穿設された取付孔２７に水平方向より挿入されて嵌合されている（図５及び図６参照）。
【００３２】
本実施例のイベント用バリケード１は、折り畳み状態と使用状態とに変形可能に構成されており、具体的には、ネットフレーム３が枢支ブラケット３４のピン軸３５を揺動中心として上下方向に揺動されて、ベースフレーム２に対して垂直又は平行となる状態に切り替えられ、サイドフレーム４が枢支ブラケット２４のピン軸２５を揺動中心としてネットフレーム３及び補助フレーム５と一体に上下方向に揺動されて、ベースフレーム２に対して傾斜又は平行となる状態に切り替えられ、補助フレーム５が枢支ピン５２を揺動中心として上下方向に揺動されて、サイドフレーム４に対して傾斜又は平行となる状態に切り替えられる（図１２等参照）。
【００３３】
図３及び図４等に示したように、使用状態のイベント用バリケード１は、ベースフレーム２が設置面に配置され、ネットフレーム３がベースフレーム２の中間位置に立設され、サイドフレーム４がネットフレーム３の裏面側に斜めに配設されている。かかる状態では、ネットフレーム３は、ベースフレーム２の格子フレーム２１に係合プレート３７及び係合リブ３８・３８が当接されて位置決めされ、補助フレーム５がベースフレーム２に対して平行となるようにしてネットフレーム３の裏面に当接されるとともに、ネットフレーム３の係合プレート３７に突設された補助ピン６が格子フレーム２１の取付孔２７に嵌合されている。
【００３４】
そのため、イベント用バリケード１の使用時にネットフレーム３の表面側から前方に向けて負荷がかかっても、ネットフレーム３がサイドフレーム４、係合プレート３７及び係合リブ３８にて支えられているため、ネットフレーム３が前方に向けて倒れることがなく、また、補助フレーム５にてフレーム体５０の後フレームが縦補強ステー３１・３１に当接することでネットフレーム３が支えられるため、補助ピン６が取付孔２７から抜けてネットフレーム３がベースフレーム２に対して上方に持ち上がることが防止され、ネットフレーム３が後方に向けて倒れることがない。
【００３５】
図９及び図１０に示すように、折り畳み状態のイベント用バリケード１は、平面視板状に折り畳められ、ベースフレーム２が設置面に配置され、ネットフレーム３が枢支ブラケット３４のピン軸３５を中心にして揺動されて表面側をベースフレーム２の表面側に近接させるようにして後方に向けて倒され、サイドフレーム４が枢支ブラケット２４のピン軸２５を中心にして揺動されてベースフレーム２に対して略平行となるようにして折り畳められる。また、補助フレーム５は、係合突部５３・５３を上方に向けるようにして揺動されてサイドフレーム４と略平行となるようにして折り畳められている。
【００３６】
図１１に示すように、折り畳み状態のイベント用バリケード１は、一方のベースとなるイベント用バリケード１の支柱ピン３６（の先端）が、上に重ねる方の他方のイベント用バリケード１の対応する位置決め孔２６に嵌入して当接されることで、複数のイベント用バリケード１が垂直方向に位置決めして重ねることができるように構成されている。
【００３７】
図１２に示すように、折り畳み状態のイベント用バリケード１を使用状態に切り替える際には、まず、折り畳み状態のイベント用バリケード１に対して（図１２（ａ））、サイドフレーム４が枢支ブラケット２４のピン軸２５を揺動中心としてネットフレーム３及び補助フレーム５と一体に上方向に揺動され（図１２（ｂ））、次いで、ネットフレーム３が枢支ブラケット３４のピン軸３５を揺動中心として下方向に揺動され、ベースフレーム２の格子フレーム２１に係合プレート３７及び係合リブ３８・３８が当接されて位置決めされるとともに、補助ピン６が格子フレーム２１の取付孔２７に水平方向より挿入されて立設される（図１２（ｃ））。そして、補助フレーム５が枢支ピン５２を揺動中心として下方向に揺動され、ベースフレーム２に対して平行となるようにしてネットフレーム３の裏面に当接される（図１２（ｄ））。
【００３８】
なお、使用状態のイベント用バリケード１を折り畳み状態に切り替える際には、上記のとは逆の手順にて状態切り替えの作業が行われる。
【００３９】
以上のように、本実施例のイベント用バリケード１は、折り畳み状態と使用状態とに変形可能に構成されるイベント用バリケード１において、設置面に配置されるベースフレーム２と、ベースフレーム２の中間位置に垂直に立設されるネットフレーム３と、ベースフレーム２及びネットフレーム３の間に介設され、ネットフレーム３の裏面側に斜めに配設されるサイドフレーム４と、サイドフレーム４に枢支され、ベースフレーム２に対して平行となるようにしてネットフレーム３の裏面に当接される補助フレーム５と、ネットフレーム３の下端に突設され、ベースフレーム２と嵌合される補助ピン６と、を具備してなるため、簡易な操作で状態を切り替えることができるとともに、使用状態でのネットフレーム３の姿勢保持の信頼性を高めることができるのである。
【００４０】
すなわち、本実施例のイベント用バリケード１は、使用状態においてネットフレーム３がベースフレーム２の中間位置に立設され、サイドフレーム４がネットフレーム３の裏面側に斜めに配設され、補助フレーム５にてベースフレーム２に対して平行となるようにしてネットフレーム３の裏面に当接されるとともに、ネットフレーム３に突設された補助ピン６がベースフレーム２と嵌合させることで、ネットフレーム３の姿勢を保持する構成であるため、従来のように状態を切り替えるたびに枢支ピンを摺動させる等の操作が不要となり、状態切り替えを簡易に行うことができるとともに、補助フレーム５及び補助ピン６の取付状態からネットフレーム３の姿勢保持を目視にて容易に確認することができる。
【００４１】
特に、本実施例のイベント用バリケード１は、補助フレーム５の一端がサイドフレーム４に揺動可能に枢支され、他端がネットフレーム３の横補強ステー３２に上方より当接されて位置決めされるため、補助フレーム５にてネットフレーム３を裏面側より支えることで、ネットフレーム３が前後方向に向けて倒れたり、ベースフレーム２に対する補助ピン６の嵌合状態が解除されてネットフレーム３が上方に持ち上がったりするのを防止して、ネットフレーム３の姿勢を確実に保持することができる。
【００４２】
また、補助ピン６がベースフレーム２に穿設された取付孔２７に水平方向より挿入されるため、ベースフレーム２に補助ピン６を確実に嵌合させることができ、ネットフレーム３がベースフレーム２に対して上方に持ち上がるのを防止して、ネットフレーム３の姿勢を確実に保持することができる。
【００４３】
また、ベースフレーム２の表面に複数の支柱ピン３６・３６・・・が突設され、支柱ピン３６が他方のベースフレーム２の裏面に当接されて、複数のイベント用バリケード１・１・・・が垂直方向に位置決めして重ねられるものであるため、イベント用バリケード１の保管や設置場所への搬入出が容易となる。
【００４４】
なお、イベント用バリケード１の構成としては、上述した実施例に限定されず、本発明の目的を逸脱しない限りにおいて種々の変更が可能である。
【００４５】
すなわち、上述した実施例のイベント用バリケード１では、補助フレーム５においてフレーム体５０の内側空間に上下方向に配設される縦補強ステー５１が設けられる構成について説明したが、例えば、図１３に示す別実施例のように、フレーム体５０の表面に縦補強ステー５１の上方を覆うようにして平板状の縞鋼板５５が取り付けられてもよい。かかる構成とすることで、イベント用バリケード１の使用時には警備員等がその上に乗って観衆の整理や監視を行うことができる。
【００４６】
また、上述した実施例のイベント用バリケード１では、ネットフレーム３において一対の縦補強ステー３１・３１及び一対の横補強ステー３２・３２が設けられる構成について説明したが、かかる補強ステーの配置構成はこれに限定されず、補助フレーム５が横補強ステー３２に上方より当接されてベースフレーム２に対して平行となるように位置決めされる構成であれば、その配置や個数については適宜変更してもよい。
【００４７】
また、上述した実施例のイベント用バリケード１では、サイドフレーム４において断面矩形のパイプ部材よりなる一対のフレーム体４０・４０が設けられる構成について説明したが、かかる構成についてはこれに限定されず、例えば、左右方向の補強フレームにて一対のフレーム体４０・４０を繋ぐように構成されてもよい。
【符号の説明】
【００４８】
１    イベント用バリケード
２    ベースフレーム
３    ネットフレーム
４    サイドフレーム
５    補助フレーム
６    補助ピン
２０  フレーム体
２１  格子フレーム
２２  補強ステー
２３  縞鋼板
２４  枢支ブラケット
２５  ピン軸
２６  位置決め孔
２７  取付孔
３０  フレーム体
３１  縦補強ステー
３２  横補強ステー
３３  メッシュ鋼板
３４  枢支ブラケット
３５  ピン軸
３６  支柱ピン
３７  係合プレート
３８  係合リブ
４０  フレーム体
５０  フレーム体
５１  縦補強ステー
５２  枢支ピン
５３  係合突部
５４  係合プレート
【図１】
2019090237.tif 000003
【図２】
2019090237.tif 000004
【図３】
2019090237.tif 000005
【図４】
2019090237.tif 000006
【図５】
2019090237.tif 000007
【図６】
2019090237.tif 000008
【図７】
2019090237.tif 000009
【図８】
2019090237.tif 000010
【図９】
2019090237.tif 000011
【図１０】
2019090237.tif 000012
【図１１】
2019090237.tif 000013
【図１２】
2019090237.tif 000014
【図１３】
2019090237.tif 000015